【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
データ処理方法であって、
アクセスネットワーク機器が、コアネットワーク機器または端末機器によって送信された第１情報を受信することと、
前記アクセスネットワーク機器が、前記第１情報に従って、処理されるデータに対してセキュリティ処理を実行するかどうかを決定することとを含むことを特徴とする、前記データ処理方法。
【請求項２】
前記アクセスネットワーク機器が、コアネットワーク機器または端末機器によって送信された第１情報を受信することは、
前記アクセスネットワーク機器が、前記コアネットワーク機器によって送信された前記第１情報を受信することを含み、前記第１情報は、前記処理されるデータに対してセキュリティ処理を実行する必要があること、前記処理されるデータに対してセキュリティ処理を実行する必要がないこと、および前記処理されるデータに対してセキュリティ処理を実行するのが好ましいことのうちの１つの情報を指示することを特徴とする、
請求項１に記載のデータ処理方法。
【請求項３】
前記アクセスネットワーク機器が、前記第１情報に従って、処理されるデータに対してセキュリティ処理を実行するかどうかを決定することは、
前記第１情報が、前記処理されるデータに対してセキュリティ処理を実行するのが好ましいことを指示する場合、前記アクセスネットワーク機器が、前記端末機器の契約情報および／または前記端末機器の能力情報に従って、前記処理されるデータに対してセキュリティ処理を実行するかどうかを決定することを含むことを特徴とする、
請求項２に記載のデータ処理方法。
【請求項４】
前記処理されるデータがアップリンクデータである場合、前記第１情報は、前記端末機器がアップリンク処理を実行するために使用される情報を含み、前記アクセスネットワーク機器が、前記第１情報に従って、処理されるデータに対してセキュリティ処理を実行するかどうかを決定することは、
前記第１情報が、前記アップリンクデータに対してセキュリティ処理を実行するのが好ましいことを指示する場合、前記アクセスネットワーク機器は、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定することを含むことを特徴とする、
請求項１に記載のデータ処理方法。
【請求項５】
前記処理されるデータがダウンリンクデータである場合、前記第１情報は、前記端末機器がダウンリンク処理を実行するために使用される情報を含み、前記アクセスネットワーク機器が、前記第１情報に従って、処理されるデータに対してセキュリティ処理を実行するかどうかを決定することは、
前記第１情報が、前記ダウンリンクデータに対してセキュリティ処理を実行するのが好ましいことを指示する場合、前記アクセスネットワーク機器は、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定することを含むことを特徴とする、
請求項１に記載のデータ処理方法。
【請求項６】
前記アクセスネットワーク機器が、前記端末機器がアップリンク処理を実行するために使用される能力情報に従って、前記アップリンクデータに対してセキュリティ処理を実行するかどうかを決定することは、
前記アクセスネットワーク機器が、前記端末機器がアップリンクセキュリティ処理を実行するためにサポートする最大データレートに従って、前記アップリンクデータに対してセキュリティ処理を実行するかどうかを決定することを含むことを特徴とする、
請求項４に記載のデータ処理方法。
【請求項７】
前記アクセスネットワーク機器が、前記端末機器がダウンリンク処理を実行するために使用される能力情報に従って、前記ダウンリンクデータに対してセキュリティ処理を実行するかどうかを決定することは、
前記アクセスネットワーク機器が、前記端末機器がダウンリンクセキュリティ処理を実行するためにサポートする最大データレートに従って、前記ダウンリンクデータに対してセキュリティ処理を実行するかどうかを決定することを含むことを特徴とする、
請求項５に記載のデータ処理方法。
【請求項８】
前記アクセスネットワーク機器は、前記端末機器がダウンリンクセキュリティ処理を実行するためにサポートする最大データレートに従って、前記ダウンリンクデータに対してセキュリティ処理を実行するかどうかを決定することは、
前記アクセスネットワーク機器が、第１サービス品質（ＱｏＳ）、第１プロトコルデータユニット（ＰＤＵ）セッションまたは第１ベアラにおける前記ダウンリンクデータに対してセキュリティ処理を実行することを決定することであって、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えないこと、または
前記アクセスネットワーク機器が、複数のＱｏＳ、複数のＰＤＵセッションまたは複数のベアラにおける前記ダウンリンクデータに対してセキュリティ処理を実行することを決定することであって、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないことを含むことを特徴とする、
請求項７に記載のデータ処理方法。
【請求項９】
前記アクセスネットワーク機器は、前記端末機器がダウンリンクセキュリティ処理を実行するためにサポートする最大データレートに従って、前記ダウンリンクデータに対してセキュリティ処理を実行するかどうかを決定することは、
前記アクセスネットワーク機器によって査定されたデータレートが、前記端末機器がダウンリンクセキュリティ処理を実行するためにサポートする最大データレートを超えない場合、前記アクセスネットワーク機器は、前記ダウンリンクデータに対してセキュリティ処理を実行することを決定することを含むことを特徴とする、
請求項７に記載のデータ処理方法。
【請求項１０】
前記端末機器の契約情報および／または前記端末機器の能力情報は前記コアネットワーク機器または前記端末機器によって提供されることを特徴とする、
請求項４ないし９のいずれか一項に記載のデータ処理方法。
【請求項１１】
前記第１情報は、前記端末機器の契約情報および／または前記端末機器の能力情報を指示することを特徴とする、
請求項１に記載のデータ処理方法。
【請求項１２】
アクセスネットワーク機器であって、
コアネットワーク機器または端末機器によって送信された第１情報を受信するように構成される受信ユニットと、
前記第１情報に従って、処理されるデータに対してセキュリティ処理を実行するかどうかを決定するように構成される決定ユニットとを備えることを特徴とする、前記アクセスネットワーク機器。
【請求項１３】
前記受信ユニットは、具体的に、
前記コアネットワーク機器によって送信された前記第１情報を受信するように構成され、前記第１情報は、前記処理されるデータに対してセキュリティ処理を実行する必要があること、前記処理されるデータに対してセキュリティ処理を実行する必要がない、ことおよび前記処理されるデータに対してセキュリティ処理を実行するのが好ましいことのうちの１つの情報を指示することを特徴とする、
請求項１２に記載のアクセスネットワーク機器。
【請求項１４】
前記決定ユニットは、具体的に、
前記第１情報が、前記処理されるデータに対してセキュリティ処理を実行するのが好ましいことを指示する場合、前記端末機器の契約情報および／または前記端末機器の能力情報に従って、前記処理されるデータに対してセキュリティ処理を実行するかどうかを決定するように構成されることを特徴とする、
請求項１３に記載のアクセスネットワーク機器。
【請求項１５】
前記処理されるデータがアップリンクデータである場合、前記第１情報は、前記端末機器がアップリンク処理を実行するために使用される情報を含み、前記決定ユニットは、具体的に、
前記第１情報が、前記アップリンクデータに対してセキュリティ処理を実行するのが好ましいことを指示する場合、前記端末機器がアップリンク処理を実行するために使用される契約情報および／または前記端末機器がアップリンク処理を実行するために使用される能力情報に従って、前記アップリンクデータに対してセキュリティ処理を実行するかどうかを決定するように構成されることを特徴とする、
請求項１２に記載のアクセスネットワーク機器。
【請求項１６】
前記処理されるデータがダウンリンクデータである場合、前記第１情報は、前記端末機器がダウンリンク処理を実行するために使用される情報を含み、前記決定ユニットは、具体的に、
前記第１情報が、前記ダウンリンクデータに対してセキュリティ処理を実行するのが好ましいことを指示する場合、前記端末機器がダウンリンク処理を実行するために使用される契約情報および／または前記端末機器がダウンリンク処理を実行するために使用される能力情報に従って、前記ダウンリンクデータに対してセキュリティ処理を実行するかどうかを決定するように構成されることを特徴とする、
請求項１２に記載のアクセスネットワーク機器。
【請求項１７】
前記決定ユニットは、具体的に、
前記端末機器がアップリンクセキュリティ処理を実行するためにサポートする最大データレートに従って、前記アップリンクデータに対してセキュリティ処理を実行するかどうかを決定するように構成されることを特徴とする、
請求項１５に記載のアクセスネットワーク機器。
【請求項１８】
前記決定ユニットは、具体的に、
前記端末機器がダウンリンクセキュリティ処理を実行するためにサポートする最大データレートに従って、前記ダウンリンクデータに対してセキュリティ処理を実行するかどうかを決定するように構成されることを特徴とする、
請求項１６に記載のアクセスネットワーク機器。
【請求項１９】
前記決定ユニットは、具体的に、
第１サービス品質（ＱｏＳ）、第１プロトコルデータユニット（ＰＤＵ）セッションまたは第１ベアラにおける前記ダウンリンクデータに対してセキュリティ処理を実行することを決定し、前記第１ＱｏＳのデータレート、第１ＰＤＵセッションのデータレートまたは第１ベアラのデータレートは、前記端末機器がダウンリンクセキュリティ処理を実行するためにサポートする最大データレートを超えず、または
複数のＱｏＳ、複数のＰＤＵセッションまたは複数のベアラにおける前記ダウンリンクデータに対してセキュリティ処理を実行することを決定し、前記複数のＱｏＳのデータレートの和、前記複数のＰＤＵセッションのデータレートの和または前記複数のベアラのデータレートの和は、前記端末機器がダウンリンクセキュリティ処理を実行するためにサポートする最大データレートを超えないように構成されることを特徴とする、
請求項１８に記載のアクセスネットワーク機器。
【請求項２０】
前記決定ユニットは、具体的に、
前記アクセスネットワーク機器によって査定されたデータレートが、前記端末機器がダウンリンクセキュリティ処理を実行するためにサポートする最大データレートを超えない場合、前記ダウンリンクデータに対してセキュリティ処理を実行することを決定するように構成されることを特徴とする、
請求項１８に記載のアクセスネットワーク機器。